(57)【要約】【課題】  容易かつ迅速に濾過エレメントを洗浄して目詰まりを解消できるようにする。【解決手段】  容器１０の内部空間１１を隔壁１２で流体入口部１３を有する１次側空間１４と流体出口部１５を有する２次側空間１６とに区分し、該隔壁１２に１次側空間１４と２次側空間１６とを連通する連通穴（１７Ａ，１７Ｂ）を複数個設け、濾過エレメント（２０Ａ，２０Ｂ）を隔壁１２に各連通穴（１７Ａ，１７Ｂ）を覆うように設け、容器１０外からの操作外力によって１次側空間１４内の待機位置から移動して濾過エレメント（２０Ａ，２０Ｂ）を被覆して１次側空間１４と遮断する遮断位置に位置決めされる洗浄用カバー（３０Ａ，３０Ｂ）を設け、各洗浄用カバー（３０Ａ，３０Ｂ）が遮断位置に位置決めされた場合に当該洗浄用カバー（３０Ａ，３０Ｂ）の内部空間（３８Ａ，３８Ｂ）と容器１０外部とを連通する排出路３５を形成した。【選択図】図１
2018015753.tif 000002
【特許請求の範囲】
【請求項１】
流体を収容可能な内部空間を有しかつ該内部空間に連通した流体入口部と流体出口部とが設けられた容器と、この容器の内部空間に配設された濾過エレメントとを備え、流体入口部から容器の内部空間に流入した流体を濾過エレメントで濾過して流体出口部から排出可能な流体濾過装置において、
前記容器の内部空間を隔壁で前記流体入口部を有する１次側空間と前記流体出口部を有する２次側空間とに区分し、該隔壁に１次側空間と２次側空間とを連通する連通穴を複数個設け、前記濾過エレメントを該隔壁に各連通穴を覆うように設け、前記容器外からの操作外力によって１次側空間内の待機位置から移動して濾過エレメントを被覆して１次側空間と遮断する遮断位置に位置決め可能な洗浄用カバーを設け、この洗浄用カバーが遮断位置に位置決めされた場合に当該洗浄用カバーの内部空間と前記容器外部とを連通する排出路を設けたことを特徴とする流体濾過装置。
【発明の詳細な説明】
【発明の詳細な説明】
【技術分野】  本発明は、流体を収容可能な内部空間を有しかつ該内部空間に連通した流体入口部と流体出口部とが設けられた容器と、この容器の内部空間に配設された濾過エレメントとを備えた流体濾過装置に関する。
【背景技術】  従来、流体（油等）を濾過エレメントを利用して濾過して当該流体中のスラッジを除去可能な流体濾過装置が広く用いられている。
例えば、単式の流体濾過装置は、流体入口部と流体出口部とが設けられた容器と、この容器の内部空間に配設された１つの濾過エレメントとを備え、流体入口部から容器の内部空間に流入した流体を濾過エレメントで濾過して流体出口部から排出可能に形成されている。
ここにおいて、上記単式の流体濾過装置では、使用に伴い濾過エレメントへのスラッジの付着量が増大し、目詰まりが起きることがある。かかる場合には、容器の内部空間への流体の供給を停止し、しかる後に濾過エレメントを容器から取り出して洗浄することとしている。このように、単式の流体濾過装置では、濾過エレメントの目詰まりを解消するためには、濾過作業を中断しなければならず、作業効率が著しく低下するという問題点を有する。
そこで、容器の内部空間に濾過エレメントを２つ設け、目詰まりした場合には両濾過エレメント中央のコックを切替えて流体の流入が停止されたほうの濾過エレメントを容器から取り出して洗浄可能な複式切替型の流体濾過装置が開発されている。
【発明が解決しようとする課題】
ところで、上記した複式切替型の流体濾過装置では、濾過エレメントを洗浄する場合に濾過作業を中断しなくともよいものの、目詰まりを解消するには濾過エレメントを容器から取り出してスラッジをブラシや流水等で除去した後、容器の内部空間の所定位置に再び取付けなければならず、作業者の手が汚れるとともに、手間が掛かる不都合を有している。
かかる不都合を解消するために、濾過エレメントが目詰まりした場合には容器の内部空間に清浄水を供給して、濾過エレメントに付着したスラッジを除去可能な逆洗型の流体濾過装置も開発されているが、外部より清浄水を大量に供給する必要があるため、ポンプ，弁，配管等からなる清浄水供給手段を備えなければならず大型化・コスト高となる欠点を有する。また、洗浄に時間が掛かる欠点を有している。
本発明の目的は、容易かつ迅速に濾過エレメントを洗浄して目詰まりを解消できる経済的な流体濾過装置を提供することにある。
【課題を解決するための手段】
本発明は、流体を収容可能な内部空間を有しかつ該内部空間に連通した流体入口部と流体出口部とが設けられた容器と、この容器の内部空間に配設された濾過エレメントとを備え、流体入口部から容器の内部空間に流入した流体を濾過エレメントで濾過して流体出口部から排出可能な流体濾過装置において、前記容器の内部空間を隔壁で前記流体入口部を有する１次側空間と前記流体出口部を有する２次側空間とに区分し、該隔壁に１次側空間と２次側空間とを連通する連通穴を複数個設け、前記濾過エレメントを該隔壁に各連通穴を覆うように設け、前記容器外からの操作外力によって１次側空間内の待機位置から移動して濾過エレメントを被覆して１次側空間と遮断する遮断位置に位置決め可能な洗浄用カバーを設け、この洗浄用カバーが遮断位置に位置決めされた場合に当該洗浄用カバーの内部空間と前記容器外部とを連通する排出路を設けたことを特徴とする。
かかる発明の場合、例えば、複数の濾過エレメントのうち１つが目詰まりした場合には、該目詰まりした濾過エレメントに対応する洗浄用カバーに容器外部から操作外力を加えて遮断位置に位置決めする。すると、該濾過エレメントは、洗浄用カバーによって被覆されて１次側空間と遮断される。そして、洗浄用カバーの内部空間と容器外部とを連通する排出路が形成される。
これにより、洗浄用カバーの内部空間には、２次側空間から濾過された流体が連通穴および濾過エレメントを介して流れ込み、排出路を介して容器外部へ排出される。ここに、洗浄用カバーの内部空間に流れ込んだ濾過流体は、その有する運動エネルギによって、濾過エレメントを通過する際に該エレメントに付着したスラッジを剥離し容器外部まで運ぶ。
したがって、洗浄用カバーを容器外部から外力を加えて操作するだけで濾過エレメントを迅速に洗浄して目詰まりを解消することができる。
【発明を実施するための形態】
以下、本発明の実施形態について図面を参照して説明する。
本流体濾過装置は、図１および図２に示す如く、容器１０の内部空間１１を隔壁１２で流体入口部１３を有する１次側空間１４と流体出口部１５を有する２次側空間１６とに区分し、隔壁１２に１次側空間１４と２次側空間１６とを連通する連通穴（１７Ａ，１７Ｂ）を複数個（例えば、２個）設け、濾過エレメント（２０Ａ，２０Ｂ）を隔壁１２に各連通穴（１７Ａ，１７Ｂ）を覆うように設け、容器１０外からの操作外力によって１次側空間１１次側空間１４内の待機位置から移動して濾過エレメント（２０Ａ，２０Ｂ）を被覆して１次側空間１４と遮断する遮断位置に位置決め可能な洗浄用カバー（３０Ａ，３０Ｂ）を設け、各洗浄用カバー（３０Ａ，３０Ｂ）が遮断位置に位置決めされた場合に当該カバー（３０Ａ，３０Ｂ）の内部空間（３８Ａ，３８Ｂ）と容器１０外部とを連通する各排出路３５を設けた構成とされている。
ここに、待機位置とは、図１で示す如く、洗浄用カバー（３０Ａ，３０Ｂ）が濾過エレメント（２０Ａ，２０Ｂ）を覆わずに１次側空間１４内の流体が濾過エレメント（２０Ａ，２０Ｂ）へ流入するのを許容する位置である。また、遮断位置とは、洗浄用カバー（３０Ａ，３０Ｂ）が濾過エレメント（２０Ａ，２０Ｂ）を覆って、当該濾過エレメントを１次側空間１４と遮断する位置である。例えば、図２に示す如く、左方の洗浄用カバー３０Ａが遮断位置に位置決めされると、濾過エレメント２０Ａは１次側空間１４と遮断される。これにより、１次側空間１４から流体が濾過エレメント２０Ａへ流入するのが阻止される。
具体的には、隔壁１２は、容器１０の内部空間１１を上下に仕切る部材であり、容器１０と一体に形成されている。流体入口部１３は、容器１０の図１中左上方の側面に設けられており、流体供給管（図示省略）と接続されている。流体出口部１５は、容器１０の図１中右下方の側面に設けられており、流体排出管（図示省略）と接続されている。
複数個（２個）の洗浄用カバー（３０Ａ，３０Ｂ）は、それぞれ全体筒状に形成されており、下部の被覆筒部３１と上方のガイド筒部３２とから形成されている。各被覆筒部３１は、対応する濾過エレメント（２０Ａ，２０Ｂ）全体を被覆可能に形成されている。各ガイド筒部３２は、対応する容器１０上部のガイド凹部（１８Ａ，１８Ｂ）に摺動可能に被嵌されている。
容器１０上部のガイド凹部（１８Ａ，１８Ｂ）の上面には、それぞれ穴１８ｈが貫通形成されており、当該各穴１８ｈを介して各ガイド筒部３２の上面と接続された操作ボタン（３９Ａ，３９Ｂ）が上下動可能に設けられている。
また、各洗浄用カバー（３０Ａ，３０Ｂ）のガイド筒部３２の側壁には、排出穴３６が設けられている。各洗浄用カバー（３０Ａ，３０Ｂ）の排出穴３６は、当該各洗浄用カバー（３０Ａ，３０Ｂ）が遮断位置に位置決めされた場合に容器１０の各ガイド凹部（１８Ａ，１８Ｂ）の側壁に形成された排出口１９と整合するように設けられている。
ここに、上記した排出穴３６と排出口１９とによって、排出路３５が形成される。この排出路３５に沿って２次側空間１６から連通穴（１７Ａ，１７Ｂ）および濾過エレメント（２０Ａ，２０Ｂ）を介して洗浄用カバー（３０Ａ，３０Ｂ）の内部空間（３８Ａ，３８Ｂ）に流入した濾過流体は容器１１外部へ排出される。
次に、この実施形態の作用について説明する。
例えば、図２に示す如く、濾過エレメント２０Ａが目詰まりした場合には、操作ボタン３９を押し下げて洗浄用カバー３０Ａを遮断位置に位置決めする。すると、濾過エレメント２０Ａは、洗浄用カバー３０Ａによって被覆されて１次側空間１４内の流体と遮断される。そして、洗浄用カバー３０Ａの内部空間（３８Ａ）と容器１０外部とは排出路３５を介して連通される。
これにより、洗浄用カバー３０Ａに被覆された濾過エレメント２０Ａに向けて２次側空間１５内の濾過された流体が連通穴１７Ａを介して流れ込み、当該濾過エレメント２０Ａを通過して排出口１９から容器１０外部へ排出される。ここに、上記濾過された流体は、その有する運動エネルギによって、濾過エレメント２０Ａを通過する際に該エレメント２０Ａに付着したスラッジを剥離し容器１０外部へ排出する。
したがって、洗浄用カバー３０Ａを容器１０外部から外力を加えて操作するだけで濾過エレメント２０Ａを迅速に洗浄することができる。その結果、コスト低減を図りつつ容易かつ迅速に濾過エレメント２０Ａを洗浄して目詰まりを解消できる。同様に、他方の濾過エレメント２０Ｂも簡単にかつ短時間で洗浄することができる。
【発明の効果】
本発明によれば、容器の内部空間を隔壁で流体入口部を有する１次側空間と流体出口部を有する２次側空間とに区分し、該隔壁に１次側空間と２次側空間とを連通する連通穴を複数個設け、濾過エレメントを隔壁に各連通穴を覆うように設け、容器外からの操作外力によって１次側空間内の待機位置から移動して濾過エレメントを被覆して１次側空間と遮断する遮断位置に位置決め可能な洗浄用カバーを設け、この洗浄用カバーが遮断位置に位置決めされた場合に当該洗浄用カバーの内部空間と容器外部とを連通する排出路を設けたので、洗浄用カバーを容器外部から外力を加えて操作するだけで濾過エレメントを迅速に洗浄することができる。その結果、コスト低減を図りつつ容易かつ迅速に濾過エレメントを洗浄して目詰まりを解消できる。
【図面の簡単な説明】
【図１】  本発明の第１の実施形態を示す側断面図である。
【図２】  同じく、逆洗工程を説明するための側断面図である。
【符号の説明】１０  容器
１１  内部空間
１２  隔壁
１３  流体入口部
１４  １次側空間
１５  流体出口部
１６  ２次側空間
１９  排出口
３５  排出路
１７Ａ，１７Ｂ  連通穴
２０Ａ，２０Ｂ  濾過エレメント
３０Ａ，３０Ｂ  洗浄用カバー
３８Ａ，３８Ｂ  内部空間
【図１】
2018015753.tif 000003
【図２】
2018015753.tif 000004